(57)【要約】【課題】蓋部材を十分に開くことができる構成とした場合でも、見栄えが悪化することのないリモコンを提供する。【解決手段】このリモコン１００は、リモコン本体１の前面にヒンジ手段を介して回動可能に取り付けられる蓋部材４を備えており、ヒンジ手段は、リモコン本体１の前面下部２６から前方へ突設される側面視略逆Ｌ字状の本体側ヒンジ２７と、蓋部材４のリモコン本体１の前面と対向する内面下部から後方へ突設される蓋側ヒンジ４５と、本体側ヒンジ２７の下部と蓋側ヒンジ４５の後部とを回動可能に連結する係合ピン２７ｃおよび係合孔４５ｂとを含んでいる。そして、蓋部材４は、リモコン本体１の前面と対向して、本体側ヒンジ２７および蓋側ヒンジ４５を前方から覆い隠す閉姿勢Ｋ１となる一方、リモコン本体１から前方に略１８０°回動し、蓋部材４の下端縁４１ａが本体側ヒンジ２７とリモコン本体１との間の隙間Ｓに入り込む開姿勢Ｋ２となる。【選択図】図３
2008098820.tif 000002
【特許請求の範囲】
【請求項１】
リモコン本体と、このリモコン本体の前面にヒンジ手段を介して回動可能に取り付けられる蓋部材とを備えたリモコンであって、
前記ヒンジ手段は、
前記リモコン本体の前面下部から前方へ突設される側面視略逆Ｌ字状の本体側ヒンジと、
前記蓋部材の前記リモコン本体の前面と対向する内面下部から後方へ突設される蓋側ヒンジと、
前記本体側ヒンジの下部と前記蓋側ヒンジの後部とを回動可能に連結するヒンジ軸部とを含み、
前記蓋部材は、
前記リモコン本体の前面と対向して、前記本体側ヒンジおよび前記蓋側ヒンジを前方から覆い隠す閉姿勢となる一方、
前記リモコン本体から前方に略１８０°回動し、当該蓋部材の下端縁が前記本体側ヒンジと前記リモコン本体との間の隙間に入り込む開姿勢となることを特徴とするリモコン。
【請求項２】
前記本体側ヒンジは、前記リモコン本体の略全幅に亘って左右方向に連続して形成され、前記リモコン本体の前面下部から前方に突出する水平部と、この水平部の先端から垂下する垂直部と、この垂直部の両側面に突設される係合ピンとを有しており、
前記蓋側ヒンジは、前記蓋部材の内面下部に前記水平部の幅員に略等しい間隔を隔てて設けられる一対の突起部と、これら突起部の互いに対向する側面に各々形成される係合孔とを有することを特徴とする請求項１に記載のリモコン。
【発明の詳細な説明】
【技術分野】
【０００１】
本発明は、電子機器を遠隔操作するためのリモコンに関するものである。
【背景技術】
【０００２】
従来、電子機器を遠隔操作するためのリモコンにおいて、例えばトイレ内の壁面に取り付けられ、水洗便器や温水洗浄便座装置等を遠隔操作するトイレ用リモコンが知られている（例えば、特許文献１参照）。
【０００３】
このようなリモコンでは、リモコン本体の前面にヒンジ手段を介して蓋部材を回動可能に取り付けたものがある。上記ヒンジ手段は、例えばリモコン本体の前面下部および蓋部材の内面下部に各々設けられたヒンジ同士をヒンジ軸部で係合することにより構成されている。
【特許文献１】特開２００６−２４９５号公報
【発明の開示】
【発明が解決しようとする課題】
【０００４】
上記トイレ用リモコンは、使用者が便座に着座した時の目線の高さ付近に取り付けられることが多く、また、通常時には蓋部材が閉じられた状態で使用されることから、ヒンジが当該リモコンの下方に突出するように設けられている場合、リモコンの見栄えが悪くなる。
【０００５】
これを解消するべく、ヒンジをリモコン本体と蓋部材との間に配した場合には、蓋部材を開けたときに蓋部材の下端縁がリモコン本体側のヒンジに突き当たることがあり、この場合、蓋部材を十分に開いた状態とすることができず、蓋部材の後方のリモコン本体に設けられた操作ボタンの操作を行い難くなる。
【０００６】
さらに、上記蓋部材の本体側ヒンジへの突き当たりを避けるために、蓋部材の下端縁に、本体側ヒンジを逃がす切欠きを形成することも考えられるが、この場合には、蓋部材を閉めたときに蓋部材の前記切欠きを通してヒンジが前方に表出するので、リモコンの前面側に蓋部材のみが視認される場合と比較して、リモコンの見栄えが悪くなる。
【０００７】
本発明は、上記のような課題を解決するためになされたものであり、蓋部材を十分に開くことができる構成とした場合でも、見栄えが悪化することのないリモコンを提供することを目的とする。
【課題を解決するための手段】
【０００８】
請求項１の発明は、リモコン本体と、このリモコン本体の前面にヒンジ手段を介して回動可能に取り付けられる蓋部材とを備えたリモコンであって、前記ヒンジ手段は、前記リモコン本体の前面下部から前方へ突設される側面視略逆Ｌ字状の本体側ヒンジと、前記蓋部材の前記リモコン本体の前面と対向する内面下部から後方へ突設される蓋側ヒンジと、前記本体側ヒンジの下部と前記蓋側ヒンジの後部とを回動可能に連結するヒンジ軸部とを含み、前記蓋部材は、前記リモコン本体の前面と対向して、前記本体側ヒンジおよび前記蓋側ヒンジを前方から覆い隠す閉姿勢となる一方、前記リモコン本体から前方に略１８０°回動し、当該蓋部材の下端縁が前記本体側ヒンジと前記リモコン本体との間の隙間に入り込む開姿勢となることを特徴とするものである。
【０００９】
請求項２の発明は、請求項１に記載のリモコンにおいて、前記本体側ヒンジは、前記リモコン本体の略全幅に亘って左右方向に連続して形成され、前記リモコン本体の前面下部から前方に突出する水平部と、この水平部の先端から垂下する垂直部と、この垂直部の両側面に突設される係合ピンとを有しており、前記蓋側ヒンジは、前記蓋部材の内面下部に前記水平部の幅員に略等しい間隔を隔てて設けられる一対の突起部と、これら突起部の互いに対向する側面に各々形成される係合孔とを有することを特徴とするものである。
【発明の効果】
【００１０】
請求項１の発明によれば、蓋部材が閉姿勢にあるときには、蓋部材によって本体側ヒンジおよび蓋側ヒンジが前方から覆い隠されるので、ヒンジ手段が前方から視認されなくなる。これにより、蓋部材を閉めたときのリモコンの見栄えが向上する。また、この場合、ヒンジ手段がリモコン本体の下方に突出するように設けられている場合と異なり、リモコン本体の下面がフラットになるので、リモコンを机上等に載置することもできる。
【００１１】
また、側面視略逆Ｌ字状の本体側ヒンジをリモコン本体の前面から前方へ突設して、本体側ヒンジとリモコン本体の前面との間に隙間を形成したので、蓋部材がリモコン本体から前方に回動したときに、蓋部材の下端縁が上記隙間に入り込むこととなる。これにより、蓋部材を閉姿勢から略１８０°回動させて開姿勢にすることができるので、リモコン本体の前面を十分に開放することができる。この結果、蓋部材により覆い隠されていた各種操作ボタンの操作を行いやすくなる。
【００１２】
さらに、蓋部材を開姿勢にしたときに、当該蓋部材の下端縁を本体側ヒンジのリモコン本体との対向部位に当接させるようにすれば、本体側ヒンジによって蓋部材の開姿勢を規制することができるようになるので、蓋部材が開姿勢でグラつき揺動するのを抑えることができる。
【００１３】
請求項２の発明によれば、蓋部材が開姿勢にあるときに、蓋部材の下端縁の大部分が本体側ヒンジに覆い隠されることになるので、蓋部材を開いたときのリモコンの見栄えが向上する。
【発明を実施するための最良の形態】
【００１４】
以下、本発明の実施形態を図面に基づいて説明する。
【００１５】
図１は、本発明の一実施形態によるリモコンが設置されたトイレを示した図であり、図２〜図４は、図１に示したリモコンの全体構成を示した斜視図である。また、図５および図６は、図２に示したリモコンの正面図および側断面図であり、図７および図８は、図３に示したリモコンの正面図および側断面図である。また、図９は、図３に示したリモコンのリモコン本体と蓋部材との係合部位を拡大・分解して示した斜視図である。
【００１６】
まず、図１を参照して、本実施形態のリモコン１００は、トイレＴ内に設置された水洗便器１０１や該水洗便器１０１に装着された温水洗浄便座装置（図示せず）等を遠隔操作するためのトイレ用リモコンであって、例えばトイレＴ内の壁面Ｗに取り付けられた状態で操作されるようになっている。このリモコン１００は、図２に示すように、前後幅（奥行）の小さい箱型のリモコン本体１を外枠として備えている。
【００１７】
リモコン本体１は、前面カバー２と、後面カバー３（図４参照）とを含んでいる。そして、前面カバー２は、前面部２１と、前面部２１の上端縁から後方に延びる上面部２２と、前面部２１の下端縁から後方に延びる下面部２３（図４参照）と、前面部２１の左右両側端縁から後方に延びつつ上面部２２および下面部２３を上下方向に連結する左右両側面部２４とにより構成されている。
【００１８】
前面部２１は、当該前面部２１の略上半分を占める前面上部２５と、前面上部２５の下端に連設されて該前面上部２５よりも一段後方（奥側）に配される前面下部２６（図３参照）とにより構成されている。
【００１９】
前面上部２５は、平坦面２５ａと、平坦面２５ａの左右両側端から後方に湾曲しつつ側面部２４に連なる湾曲面２５ｂとを有している。この前面上部２５には、複数の前面操作ボタン６と液晶パネル７とが設けられている。これらの前面操作ボタン６は、例えば、お尻の洗浄や乾燥およびそれら動作の停止等の操作を行うためのものである。また、液晶パネル７には、当該リモコン１００の各種設定状況や現在時刻等が表示されるようになっている。
【００２０】
また、前面下部２６は、前段部２６ａと、前段部２６ａの下端に連設されて該前段部２６ａよりも一段後方に配される後段部２６ｂとを有している。この前面下部２６には、複数の前面サブ操作ボタン８が設けられている。これらの前面サブ操作ボタン８は、主として、当該リモコン１００の各種動作環境の設定を行うためのものである。
【００２１】
ここで、本実施形態では、リモコン本体１の前面部２１には、前面下部２６を覆う蓋部材４が回動可能に取り付けられている。以下、蓋部材４の取付部位の構成について説明する。
【００２２】
前面部２１には、図６および図８に示すように、前段部２６ａの下部から前方へ突出する側面視略逆Ｌ字状の本体側ヒンジ２７が設けられている。
【００２３】
詳細には、本体側ヒンジ２７は、水平部２７ａと、垂直部２７ｂと、係合ピン２７ｃ（図９参照）とを有している。水平部２７ａは、リモコン本体１の前段部２６ａの下部から前方に突出するとともに、リモコン本体１の略全幅（本実施形態では、図７に示すように前面上部２５の平坦面２５ａに左右方向で略等しい領域）に亘って左右方向に連続して形成されている。垂直部２７ｂは、水平部２７ａの先端から鉛直下向きに延設されている。係合ピン２７ｃは、垂直部２７ｂの左右両側面の下部にそれぞれ突設されている。
【００２４】
そして、上記のように、側面視略逆Ｌ字状の本体側ヒンジ２７を前段部２６ａの下部に前方へ向けて突設したので、本体側ヒンジ２７の垂直部２７ｂと後段部２６ｂとの間に隙間Ｓ（図６，図８，図９参照）が形成されている。
【００２５】
また、蓋部材４は、図２に示すように、前面平坦部４１と、前面平坦部４１の左右両側端から後方に湾曲しつつ延びる前面湾曲部４２と、各前面湾曲部４２の後端に連設される側面部４３とを有している。蓋部材４を上記形状に形成することで、蓋部材４により前面下部２６が覆われた際に、前面上部２５と蓋部材４とが略面一となるので、リモコン１００の見栄えを損なうことがない。
【００２６】
また、蓋部材４のリモコン本体１の前面下部２６と対向する内面下部には、後方へ突出する蓋側ヒンジ４５が設けられている。
【００２７】
詳細には、蓋側ヒンジ４５は、突起部４５ａと、係合孔４５ｂ（図９参照）とを有している。突起部４５ａは、蓋部材４の各前面湾曲部４２の内面下部に、水平部２７ａの幅員に略等しい間隔を隔てて各々設けられている。係合孔４５ｂは、上記突起部４５ａの互いに対向する側面に各々形成されている。
【００２８】
そして、本体側ヒンジ２７の係合ピン２７ｃと蓋側ヒンジ４５の係合孔４５ｂとを各々係合させることで、本体側ヒンジ２７の下部と蓋側ヒンジ４５の後部とが回動可能に連結され、これによって蓋部材４が係合ピン２７ｃ（あるいは係合孔４５ｂ）を支点にリモコン本体１に対して回動可能に取り付けられる。なお、本実施形態では、本体側ヒンジ２７および蓋側ヒンジ４５が本発明の「ヒンジ手段」に相当し、係合ピン２７ｃおよび係合孔４５ｂが本発明の「ヒンジ軸部」に相当している。
【００２９】
上記のように蓋部材４をリモコン本体１に取り付けた状態では、本体側ヒンジ２７および蓋側ヒンジ４５がリモコン本体１の下方に突出しておらず、下面部２３がフラットになっている。
【００３０】
また、取付状態において、蓋部材４は、前面下部２６を覆う閉姿勢Ｋ１（図２参照）と前面下部２６を表出させる開姿勢Ｋ２（図３参照）との間を姿勢変更するように構成されている。そして、蓋部材４が閉姿勢Ｋ１にある状態では、前面平坦部４１の下端縁４１ａが本体側ヒンジ２７および蓋側ヒンジ４５を前方から覆い隠している。一方、蓋部材４が開姿勢Ｋ２にある状態、すなわち、蓋部材４がリモコン本体１から前方に略１８０°回動し、当該蓋部材４の下端縁４１ａが本体側ヒンジ２７の垂直部２７ｂと後段部２６ｂとの間の隙間Ｓ１に入り込んだ状態（図８参照）では、前面平坦部４１の下端縁４１ａが本体側ヒンジ２７によって前方から覆い隠されるようになっている。なお、蓋部材４を開姿勢Ｋ２にしたときに、当該蓋部材４の下端縁４１ａが本体側ヒンジ２７の垂直部２７ｂの後面（リモコン本体１との対向部位）に当接するように構成してもよく、その場合、本体側ヒンジ２７によって蓋部材４の開姿勢Ｋ２を規制することが可能となる。
【００３１】
また、蓋部材４の内面には、複数の蓋側操作ボタン９を蓋部材４を介して支持するボタン支持板４４が取り付けられている。このボタン支持板４４の端縁には凸部４４ａが形成されており、この凸部４４ａがリモコン本体１の前段部２６ａの検知部２６ｃに検知されることで、蓋部材４が閉姿勢Ｋ１になったことが検出される。
【００３２】
上面部２２には、複数の上面操作ボタン１０が設けられている。これらの上面操作ボタン１０は、例えば便座用蓋の開閉動作や大小の流水動作を遠隔操作するためのものである。また、上面部２２の左右両側端には、赤外線送信用窓２２ａが設けられている。
【００３３】
側面部２４には、蓋部材４をリモコン本体１から前方に回動させる際に、使用者の指を挿入する指挿入部２４ａが設けられている。
【００３４】
後面カバー３には、フック用係合凹部３１と、ネジ挿入孔３２とが設けられている。フック用係合凹部３１は、トイレＴ内の壁面Ｗに固定された図略のフック部材に係合することで、当該リモコン１００をトイレＴの壁面Ｗに取り付けるために設けられている。また、ネジ挿入孔３２は、後面カバー３を前面カバー２にネジ止めする際に図略のネジを挿入するためのものである。また、前面カバー２にネジ止めされた後面カバー３の下部には、電池ボックス用蓋５（図４参照）が嵌め込まれている。
【００３５】
本実施形態によれば、蓋部材４が閉姿勢Ｋ１にあるときには、蓋部材４によって本体側ヒンジ２７および蓋側ヒンジ４５が前方から覆い隠されるので、本体側ヒンジ２７および蓋側ヒンジ４５が前方から視認されなくなる。これにより、蓋部材４を閉めたときのリモコン１００の見栄えが向上する。また、この場合、本体側ヒンジ２７および蓋側ヒンジ４５がリモコン本体１の下方に突出するように設けられている場合と異なり、リモコン本体１の下面がフラットになるので、リモコン１００を机上等に載置することもできる。
【００３６】
また、本実施形態によれば、側面視略逆Ｌ字状の本体側ヒンジ２７をリモコン本体１の前面下部２６から前方へ突設して、本体側ヒンジ２７とリモコン本体１の前面下部２６との間に隙間Ｓを形成したので、蓋部材４がリモコン本体１から前方に回動したときに、蓋部材４の下端縁４１ａが上記隙間Ｓに入り込むこととなる。これにより、蓋部材４を閉姿勢Ｋ１から略１８０°回動させて開姿勢Ｋ２にすることができるので、リモコン本体１の前面下部２６を十分に開放することができる。この結果、蓋部材４により覆い隠されていた前面サブ操作ボタン８の操作を行いやすくなる。
【００３７】
また、本実施形態によれば、蓋部材４が開姿勢Ｋ２にあるときに、蓋部材４の下端縁４１ａの大部分が本体側ヒンジ２７に覆い隠されることになるので、蓋部材４を開いたときのリモコン１００の見栄えが向上する。
【００３８】
また、本実施形態によれば、前面上部２５に湾曲面２５ｂを設けるとともに、蓋部材４に上記湾曲面２５ｂに略面一となる前面湾曲部４２を設けたので、側面部４３の上端縁が蓋部材４の開閉時にリモコン本体１と接触するのを回避するべく設定された、蓋部材４の閉姿勢Ｋ１における蓋部材４の上端縁と前面上部２５の下端縁との間の隙間を小さくすることができる。これにより、当該リモコン１００の見栄えを向上しつつ、蓋部材４と前面下部２６との間に埃等の異物が侵入するのを防ぐことができる。
【００３９】
また、本実施形態において、蓋部材４を開姿勢Ｋ２にしたときに、当該蓋部材４の下端縁４１ａを本体側ヒンジ２７の垂直部２７ｂの後面（リモコン本体１との対向部位）に当接させるように構成すれば、本体側ヒンジ２７によって蓋部材４の開姿勢Ｋ２を規制することができるので、蓋部材４が開姿勢Ｋ２でグラつき揺動するのを抑えることが可能となり好ましい。
【００４０】
なお、上記実施形態では、本発明の「リモコン」を、トイレＴに設置される水洗便器１０１や温水洗浄便座装置を遠隔操作するためのリモコン１００に適用する例について示したが、これに限らず、例えばエアコンやオーディオ機器を遠隔操作するためのリモコンにも適用可能である。特に、エアコン用のリモコンは、上記実施形態のトイレ用リモコンと同様で壁面に取り付けられることが多いため、特に有効である。
【００４１】
また、上記実施形態では、本体側ヒンジ２７に凸状の係合ピン２７ｃを設け、蓋側ヒンジ４５に凹状の係合孔４５ｂを設ける例について示したが、これに限らず、本体側ヒンジ２７に凹状の係合孔を設け、蓋側ヒンジ４５に凸状の係合ピンを設けてもよい。
【図面の簡単な説明】
【００４２】
【図１】本発明の一実施形態によるリモコンが設置されたトイレを示した図である。
【図２】本発明の一実施形態によるリモコンの全体構成を示した斜視図である。
【図３】図２に示したリモコンにおいて蓋部材を開けた状態を示した斜視図である。
【図４】図２に示したリモコンを後方斜め下側から見た状態を示した斜視図である。
【図５】図２に示したリモコンの正面図である。
【図６】図２に示したリモコンの側断面図である。
【図７】図３に示したリモコンの正面図である。
【図８】図３に示したリモコンの側断面図である。
【図９】図３に示したリモコンのリモコン本体と蓋部材との係合部位を拡大・分解して示した斜視図である。
【符号の説明】
【００４３】
１  リモコン本体
２１  前面部
２６  前面下部
２７  本体側ヒンジ（ヒンジ手段）
２７ａ  水平部
２７ｂ  垂直部
２７ｃ  係合ピン（ヒンジ軸部）
４  蓋部材
４１ａ  下端縁
４５  蓋側ヒンジ（ヒンジ手段）
４５ａ  突起部
４５ｂ  係合孔（ヒンジ軸部）
１００  リモコン
Ｋ１  閉姿勢
Ｋ２  開姿勢
Ｓ  隙間
【図１】
2008098820.tif 000003
【図２】
2008098820.tif 000004
【図３】
2008098820.tif 000005
【図４】
2008098820.tif 000006
【図５】
2008098820.tif 000007
【図６】
2008098820.tif 000008
【図７】
2008098820.tif 000009
【図８】
2008098820.tif 000010
【図９】
2008098820.tif 000011